(57)【特許請求の範囲】
【請求項１】
利用者が選択した楽曲の歌詞データから、所定の音節毎の数及び／または割合を算出する算出部と、
算出された前記所定の音節毎の数及び／または割合を表示部に表示させる表示制御部と、
前記歌詞データから前記所定の音節が発声されるべきタイミングを特定し、特定したタイミングで当該所定の音節が実際に発声されているかどうかを前記利用者が選択した楽曲を歌唱した際に得られる歌唱データで確認することにより、当該所定の音節が適切に発声されているかどうかを判定する判定部と、
を有し、
前記算出部は、前記判定部による判定結果に基づいて、適切に発声された音節の数及び／または割合を算出するカラオケ装置。
【請求項２】
楽曲に含まれる所定の音節毎の数及び／または割合を楽曲毎に予め記憶する記憶部と、
利用者が選択した楽曲に含まれる所定の音節のうち、数が少ない音節及び／または割合が低い音節を特定する特定部と、
前記記憶部に記憶されている楽曲から、特定された前記音節が多く含まれる及び／または特定された前記音節の割合が高い推奨楽曲を検索する検索部と、
前記推奨楽曲を示す情報を表示部に表示させる表示制御部と、
を有することを特徴とするカラオケ装置。
【請求項３】
前記特定部は、前記所定の音節毎の数及び／または割合の差が所定値以上である場合に、前記数が少ない音節及び／または割合が低い音節を特定することを特徴とする請求項２記載のカラオケ装置。
【請求項４】
前記所定の音節は、「パ」、「タ」、「カ」、「ラ」であることを特徴とする請求項１〜３のいずれか一つに記載のカラオケ装置。
【発明の詳細な説明】
【技術分野】
【０００１】
本発明はカラオケ装置に関する。
【０００２】
高齢者の健康維持の一環として、機能的な口腔ケアが推奨されている。口腔ケアの一例として、加齢に伴う口の周りの筋力や舌の動きの低下を予防するための「パタカラ体操」と呼ばれる口腔機能訓練がある。
【０００３】
パタカラ体操は、特定の音節（「パ」、「タ」、「カ」、「ラ」）を意識的に発声することにより、口に入れた食物を食道まで運ぶ一連の動作を鍛える運動である。
【０００４】
「パ」は食物をこぼさないような機能を養い、「タ」は食物を飲み込む機能を養い、「カ」は食物を食道に運ぶ機能を養い、「ラ」は食物を口腔内まで運んで飲みやすくする機能を養うことができると言われている。このような「パ」、「タ」、「カ」、「ラ」を発声することで、噛む力や呑みこむ力の維持・向上が可能となる。
【０００５】
パタカラ体操を実施するため、専用の楽曲（以下、「パタカラ楽曲」）を歌唱することが可能なカラオケ装置が知られている（非特許文献１参照）。パタカラ楽曲は、高齢者にもなじみの深い童謡等の楽曲について、表示される歌詞を「パ」、「タ」、「カ」、「ラ」の音節に置き換えたものである。このようなパタカラ楽曲を歌唱することにより、口腔機能訓練を行うことができる。
【先行技術文献】
【非特許文献】
【０００６】
【非特許文献１】“ＤＫ  ＥＬＤＥＲ  ＳＹＳＴＥＭ  プレミアムコンテンツ紹介  「パタカラで歌おう！」”、［ｏｎｌｉｎｅ］、株式会社第一興商、［平成２８年４月１４日検索］、インターネット＜ＵＲＬ：http://dk-eldersystem.com/premium/patakara.php＞
【発明の概要】
【発明が解決しようとする課題】
【０００７】
しかしながら、パタカラ楽曲は歌詞を予め「パ」、「タ」、「カ」、「ラ」の音節に置き換える必要があり、煩雑である。そのような作業の煩雑さから、現状では曲数が数十曲に限定されているため、歌唱者が選択できる楽曲が少なく、歌唱者は特定の楽曲を繰り返し歌唱しなければならない。従って、自由に楽曲を選択して歌唱するというカラオケ装置本来の楽しみ方を実践することができないという問題がある。
【０００８】
本発明の目的は、通常と同様のカラオケ歌唱を行いながら、口腔機能訓練を補助することが可能なカラオケ装置を提供することにある。
【課題を解決するための手段】
【０００９】
上記目的を達成するための主たる発明は、利用者が選択した楽曲の歌詞データから、所定の音節毎の数及び／または割合を算出する算出部と、算出された前記所定の音節毎の数及び／または割合を表示部に表示させる表示制御部と、を有することを特徴とするカラオケ装置である。
本発明の他の特徴については、後述する明細書及び図面の記載により明らかにする。
【発明の効果】
【００１０】
本発明によれば、通常と同様のカラオケ歌唱を行いながら、口腔機能訓練を補助することができる。
【図面の簡単な説明】
【００１１】
【図１】第１実施形態に係るカラオケ装置の概略を示す図である。
【図２】第１実施形態に係るカラオケ本体のハードウェア構成例を示す図である。
【図３】第１実施形態に係るカラオケ本体のソフトウェア構成例を示す図である。
【図４】第１実施形態に係る表示装置の表示画面を示す図である。
【図５】第２実施形態に係るカラオケ本体のソフトウェア構成例を示す図である。
【図６】第２実施形態に係る表示装置の表示画面を示す図である。
【図７】第３実施形態に係るカラオケ本体のソフトウェア構成例を示す図である。
【発明を実施するための形態】
【００１２】
後述する明細書及び図面の記載から、上記の主たる発明の他、少なくとも以下の事項が明らかとなる。
【００１３】
すなわち、前記利用者が選択した楽曲を歌唱した際に得られる歌唱データに基づいて、前記所定の音節が適切に発声されているかどうかを判定する判定部を有し、前記算出部は、前記判定部による判定結果に基づいて、適切に発声された音節の数及び／または割合を算出することを特徴とするカラオケ装置が明らかとなる。このようなカラオケ装置によれば、利用者に対し、適切に発声された所定の音節の数及び／または割合を提示することができる。
【００１４】
また、楽曲に含まれる所定の音節毎の数及び／または割合を楽曲毎に予め記憶する記憶部と、利用者が選択した楽曲に含まれる所定の音節のうち、数が少ない音節及び／または割合が低い音節を特定する特定部と、前記記憶部に記憶されている楽曲から、特定された前記音節が多く含まれる及び／または特定された前記音節の割合が高い推奨楽曲を検索する検索部と、前記推奨楽曲を示す情報を表示部に表示させる表示制御部と、を有することを特徴とするカラオケ装置が明らかとなる。このようなカラオケ装置によれば、通常と同様のカラオケ歌唱を行いながら、口腔機能訓練を補助することができる。カラオケ歌唱の結果に基づいて、口腔機能訓練に適した楽曲が推奨されることにより、利用者は効果的な訓練を行うことが可能となる。
【００１５】
また、前記特定部は、前記所定の音節毎の数及び／または割合の差が所定値以上である場合に、前記数が少ない音節及び／または割合が低い音節を特定することを特徴とするカラオケ装置が明らかとなる。このようなカラオケ装置によれば、所定の音節のみに偏りが生じないように楽曲を推奨できる。従って、より効率的な口腔機能訓練が可能となる。
【００１６】
また、前記所定の音節は、「パ」、「タ」、「カ」、「ラ」であることを特徴とするカラオケ装置が明らかとなる。口腔機能訓練に適していると言われる「パ」、「タ」、「カ」、「ラ」を所定の音節とすることにより、口腔機能訓練を効果的に補助することができる。
【００１７】
＜第１実施形態＞
図１〜図４を参照して、第１実施形態に係るカラオケ装置１について説明する。
【００１８】
＝＝カラオケ装置＝＝
（ハードウェア構成）
カラオケ装置１は、カラオケ演奏及び利用者が歌唱を行うための装置である。図１に示すように、カラオケ装置１は、カラオケ本体１０、スピーカ２０、表示装置３０、マイク４０、及びリモコン装置５０を備える。
【００１９】
カラオケ本体１０は、予約登録された楽曲の演奏制御、歌詞や背景映像等の表示制御、マイク４０を通じて入力された歌唱音声信号の処理といった、カラオケ歌唱に関する各種の制御を行う。図２はカラオケ本体１０のハードウェア構成例を示す図である。カラオケ本体１０は、制御部１１、通信部１２、記憶部１３、音響処理部１４、及び操作部１５を備える。各構成はインターフェース（図示なし）を介してバスＢに接続されている。
【００２０】
制御部１１は、ＣＰＵ１１ａおよびメモリ１１ｂを備える。ＣＰＵ１１ａは、メモリ１１ｂに記憶された動作プログラムを実行することにより各種の制御機能を実現する。メモリ１１ｂは、ＣＰＵ１１ａに実行されるプログラムを記憶したり、プログラムの実行時に各種情報を一時的に記憶したりする記憶装置である。
【００２１】
通信部１２は、ルーター（図示なし）を介してカラオケ本体１０を通信回線に接続するためのインタフェースを提供する。
【００２２】
記憶部１３は、各種のデータを記憶する大容量の記憶装置であり、たとえばハードディスクドライブなどである。
【００２３】
記憶部１３は、複数の楽曲データを記憶する。楽曲データは、カラオケ装置１によりカラオケ演奏を行うためのデータである。カラオケ装置１が楽曲データに基づいて楽曲を演奏することにより、歌唱者はカラオケの歌唱が可能となる。楽曲データは、楽曲毎に所定のＩＤ（楽曲ＩＤ）が付与されている。
【００２４】
また、記憶部１３は、歌詞データ、及び背景画像データ等のカラオケ装置３で使用するデータや、カラオケ装置１等を介して登録された利用者データ（利用者ＩＤ）等を記憶する。歌詞データ及び背景画像データは、楽曲データと関連付けられている。歌詞データは、楽曲の歌詞に相当する複数種類の音節を含む。表示装置３０等における各種表示（カラオケ演奏時における背景映像や歌詞テロップの表示等）は、制御部１１により実行される。
【００２５】
音響処理部１４は、制御部１１の制御に基づき、カラオケ楽曲に対する演奏の制御およびマイク４０を通じて入力された音声信号の処理を行う。音響処理部１４は、たとえばＭＩＤＩ音源、ミキサ、アンプ（いずれも図示なし）を含む。ＭＩＤＩ音源は、楽曲データに基づいて楽音信号を生成する。ミキサは、当該音楽信号およびマイク４０から出力される音声信号を適当な比率でミキシングしてアンプに出力する。アンプは、ミキサからのミキシング信号を増幅し、放音信号としてスピーカ２０へ出力する。これにより、スピーカ２０からは放音信号に基づくカラオケ演奏音およびマイク４０からの歌唱音声が放音される。
【００２６】
操作部１５は、パネルスイッチおよびリモコン受信回路などからなり、歌唱者によるカラオケ装置１のパネルスイッチあるいはリモコン装置５０の操作に応じて予約信号、演奏中止信号などの操作信号を制御部１１に対して出力する。制御部１１は、操作部１５からの操作信号を検出し、対応する処理を実行する。
【００２７】
スピーカ２０はカラオケ本体１０からの放音信号に基づいて放音するための構成である。表示装置３０はカラオケ本体１０からの信号に基づいて映像や画像を画面に表示するための構成である。マイク４０は歌唱者の音声（歌唱音声）をアナログの音声信号に変換してカラオケ本体１０に入力するための構成である。
【００２８】
リモコン装置５０は、カラオケ本体１０に対する各種操作をおこなうための装置である。歌唱者はリモコン装置５０を用いてカラオケ装置１の起動、楽曲の予約等を行うことができる。リモコン装置５０の表示画面には各種操作の指示入力を行うためのＧＵＩが表示される。
【００２９】
（カラオケ本体のソフトウェア構成）
図３はカラオケ本体１０のソフトウェア構成例を示す図である。カラオケ本体１０は、抽出部１００及び表示制御部２００を備える。抽出部１００及び表示制御部２００は、ＣＰＵ１１ａがメモリ１１ｂに記憶されるプログラムを実行することにより実現される。
【００３０】
［算出部］
算出部１００は、利用者が選択した楽曲の歌詞データから、所定の音節毎の数及び／または割合を算出する。
【００３１】
所定の音節は、清音（所謂、５０音）、濁音、半濁音、長音、促音、撥音、拗音等から選ばれる任意の音節である。所定の音節は、たとえば、高齢者の口腔機能訓練に適している「パ」、「タ」、「カ」、「ラ」の４つである。なお、本明細書中では「所定の音節」として「パ」、「タ」、「カ」、「ラ」を例に説明することがあるが、所定の音節はこれに限られるものではない。たとえば、事故や病気によって特定の行（たとえば、サ行）だけの発声が困難な利用者に対しては、その行に含まれる音節全てを所定の音節とすることも可能である。また、所定の音節は、予めいくつかのパターンがカラオケ装置１に記憶されており、利用者がリモコン装置５０等を介して所望のパターンを選ぶことができる。或いは、リモコン装置５０等を介して利用者が都度、任意の音節を設定することも可能である。
【００３２】
具体例として、リモコン装置５０を介して、利用者が口腔機能訓練モードを選択したとする。その後、利用者がリモコン装置５０を介して楽曲Ａを選択した場合、算出部１００は、楽曲Ａに関連付けられた歌詞データを読み出し、予め決められた所定の音節それぞれの出現回数をカウントすることにより、音節毎の数を算出する。算出部１００は、算出した数から音節毎の割合を求めることも可能である。算出部１００は、算出した値（数及び／または割合）を表示制御部２００に出力する。なお、歌詞データに漢字やアルファベットが含まれる場合、算出部１００は、付帯されているルビに基づいて音節の種別を判断する。
【００３３】
［表示制御部］
表示制御部２００は、算出された所定の音節毎の数及び／または割合を表示部に表示させる。具体的には、表示制御部２００は、算出部１００から所定の音節毎の数を受け取った場合、音節毎の数を所定の表示形式で表示装置３０やリモコン装置５０の表示画面に表示させる。表示制御部２００は、算出部１００から所定の音節毎の割合を受け取った場合には、音節毎の割合を表示画面に表示させる。また、表示制御部２００は、算出部１００から所定の音節毎の数、及び所定の音節毎の割合を受け取った場合には、音節毎の数及び音節毎の割合の双方を表示画面に表示させることでもよい。表示装置３０やリモコン装置５０は、「表示部」の一例である。
【００３４】
図４は、表示装置３０の表示画面における表示例を示す。表示装置３０には、楽曲名、所定の音節、及び当該楽曲に含まれる所定の音節毎の数といった情報が表示される。このような表示により、利用者は自分が選択した楽曲中に、口腔機能訓練に適した音節がどれくらい含まれているかを歌唱前に予め把握することができる。なお、利用者が演奏開始ボタンを選択することにより、カラオケ楽曲の演奏が開始される。
【００３５】
このように、本実施形態に係るカラオケ装置１によれば、通常と同様のカラオケ歌唱を行いながら、口腔機能訓練を補助することができる。すなわち、利用者は所望のカラオケ楽曲を選択できるため、パタカラ楽曲のような口腔機能訓練専用の限られた楽曲のみを繰り返し歌唱する必要がない。従って、利用者は通常と同様のカラオケ歌唱を楽しむことができるため、訓練に飽きることもない。また、本実施形態に係るカラオケ装置１によれば、パタカラ楽曲のような専用の楽曲を作成する必要が無い。更に、利用者が選択した楽曲に含まれる所定の音節の数や割合を表示させることにより、利用者は、たとえば、所定の音節の数が少ない場合にはもう少し歌唱しようといったような訓練の計画を立てることが可能となる。すなわち、本実施形態に係るカラオケ装置１によれば、利用者に対して訓練の補助をすることができる。
【００３６】
＜第２実施形態＞
図５及び図６を参照して、第２実施形態に係るカラオケ装置１について説明する。本実施形態のカラオケ装置１は、適切に発声された音節の数等を利用者に提示することで、利用者の口腔機能訓練を補助するものである。第１実施形態と同様の構成については詳細な説明を省略する。
【００３７】
（カラオケ本体のソフトウェア構成）
図５はカラオケ本体１０のソフトウェア構成例を示す図である。カラオケ本体１０は、算出部１００、表示制御部２００及び判定部３００を備える。算出部１００、表示制御部２００及び判定部３００は、ＣＰＵ１１ａがメモリ１１ｂに記憶されるプログラムを実行することにより実現される。
【００３８】
［判定部］
判定部３００は、利用者が選択した楽曲を歌唱した際に得られる歌唱データに基づいて、所定の音節が適切に発声されているかどうかを判定する。
【００３９】
具体例として、利用者がある楽曲の歌唱を終えると、判定部３００は、歌唱データを解析し、「パ」、「タ」、「カ」、「ラ」に相当する音節が適切に発声されているかどうかを判定する。判定は、たとえば、歌詞データから「パ」の音節が発声されるべきタイミングを特定し、そのタイミングで「パ」の音節が実際に発声されているかどうかを歌唱データで確認することにより行う。この判定は、たとえば公知の音声認識技術を利用することができる。判定部３００は、適切に発声された音節の情報を算出部１００に出力する。
【００４０】
［算出部］
本実施形態に係る算出部１００は、判定部３００による判定結果に基づいて、適切に発声された音節の数及び／または割合を算出する。上述の通り、判定部３００から出力される音節は、歌詞データに含まれる所定の音節のうち、適切に発声された音節に対するもののみである。従って、算出部１００は、受け取った情報を音節毎にカウントすることにより、ある歌詞データに含まれる所定の音節のうち、適切に発声された音節毎の数を算出することができる。なお、算出部１００は、第１実施形態と同様、利用者が選択した楽曲の歌詞データから、その歌詞データに実際に含まれている所定の音節の数等を算出してもよい。
【００４１】
［表示制御部］
表示制御部２００は、第１実施形態と同様、算出された所定の音節毎の数及び／または割合を表示部に表示させる。
【００４２】
図６は、表示装置３０の表示画面における表示例を示す。この例では、表示装置３０には、楽曲名、所定の音節、及び当該楽曲に含まれる所定の音節毎の数といった情報と共に、適切に発声された音節の数が表示される。このような表示により、利用者は自分が歌唱した楽曲に含まれる実際の音節の数と、適切に発声できた音節の数を対比することができる。なお、表示制御部２００は、所定回数以上（たとえば、楽曲に含まれる音節数の半分以上）適切に発声できた音節について、他の音節と表示態様を変えて表示させることも可能である（図６参照）。この場合、利用者はどの音節が適切に発声できたかをより把握し易くなる。
【００４３】
このように、本実施形態に係るカラオケ装置１によれば、所定の音節のうち、適切に発声された音節の数等を提示することができる。従って、利用者はカラオケ歌唱による口腔機能訓練の達成度合いを把握することができる。達成度合いは、図６に示したように、歌詞データに含まれる所定の音節の数と適切に発声された音節の数との対比や、表示画面における表示態様の変更により、より正確に把握し易くなる。
【００４４】
＜第３実施形態＞
図７を参照して、第３実施形態に係るカラオケ装置１について説明する。第１実施形態等と同様の構成については詳細な説明を省略する。
【００４５】
たとえば、ある楽曲について、「パ」、「タ」、「カ」、「ラ」それぞれの数が同じかほとんど変わらない場合、当該楽曲を歌唱することにより、バランスよく口腔機能訓練を行うことができる。一方、ある音節の数が他の音節に比べて極端に少ない場合（或いは０の場合）、口腔機能訓練の観点からは望ましいものではない。従って、所定の音節の数にバラつきがある場合には、少ない音節を補う楽曲を更に歌唱した方が訓練の効果が高くなる。そこで、本実施形態では、利用者に対して口腔機能訓練に適した楽曲を推奨することができる構成について説明を行う。
【００４６】
本実施形態に係る記憶部１３は、楽曲に含まれる所定の音節毎の数及び／または割合を楽曲毎に予め記憶している。たとえば、楽曲Ａについて、「パ」が６個、「タ」が１５個、「カ」が８個、「ラ」が１０個といった具合である。なお、所定の音節は、その数ではなく、割合で記憶されていてもよいし、数と割合の双方が記憶されていてもよい。
【００４７】
（カラオケ本体のソフトウェア構成）
図７はカラオケ本体１０のソフトウェア構成例を示す図である。カラオケ本体１０は、特定部４００、検索部５００及び表示制御部６００を備える。特定部４００、検索部５００及び表示制御部６００は、ＣＰＵ１１ａがメモリ１１ｂに記憶されるプログラムを実行することにより実現される。
【００４８】
［特定部］
特定部４００は、利用者が選択した楽曲に含まれる所定の音節のうち、数が少ない音節及び／または割合が低い音節を特定する。
【００４９】
たとえば、利用者が上述の楽曲Ａを選択したとする。この場合、特定部４００は、「パ」、「タ」、「カ」、「ラ」の音節のうち、数が最も少ない「パ」（６個）を特定する。なお、特定される音節は、数が最も少ないものに限られない。たとえば、数が少ない方から２つ（上記の楽曲Ａであれば「パ」及び「カ」）を特定してもよい。特定部４００は、特定した音節の情報を検索部５００に出力する。また、所定の音節が割合で記憶されている場合、特定部４００は、最も割合の低い音節を特定する。或いは、所定の音節が数及び割合で記憶されている場合、特定部４００は、数が最も少なく、且つ最も割合の低い音節を特定する（なお、通常は、数が最も少ない音節＝割合が最も低い音節となる）。
【００５０】
［検索部］
検索部５００は、記憶部１３に記憶されている楽曲から、特定された音節が多く含まれる及び／または特定された音節の割合が高い推奨楽曲を検索する。
【００５１】
たとえば、検索部５００は、特定部４００から数が少ない音節「パ」の情報を受け取ると、記憶部１３に記憶されている楽曲の中から、「パ」の音節が多く含まれる楽曲を推奨楽曲として検索する。検索部５００は、検索された推奨楽曲の情報（たとえば、楽曲名、楽曲ＩＤ）を表示制御部６００に出力する。また、検索部５００は、特定された音節「パ」の割合が高い楽曲を推奨楽曲として検索することでもよい。或いは、検索部５００は、特定された音節「パ」の数が多く、且つ割合が高い楽曲を推奨楽曲として検索することでもよい。
【００５２】
なお、「特定された音節が多く含まれる」及び「特定された音節の割合が高い」の判断は予め設定された所定の値に基づいて行われる。たとえば、ある音節が１０個以上含まれている楽曲を「その音節が多く含まれる楽曲」であるとして予め設定しておくとする。この場合、検索部５００は、記憶部１３に記憶されている楽曲の中から、特定された「パ」の音節が１０個以上含まれる楽曲を推奨楽曲として検索する。また、条件を満たす楽曲が複数ある場合、検索部５００は、そのうち一つだけを選んで表示制御部６００に出力してもよいし、条件を満たす全ての楽曲を出力してもよい。
【００５３】
［表示制御部］
表示制御部６００は、推奨楽曲を示す情報を表示部に表示させる。表制御部６００は、検索部５００から受け取った楽曲名や楽曲ＩＤ等の推奨楽曲を示す情報を表示装置３０やリモコン装置５０の表示画面に表示させる。
【００５４】
なお、上記例では、１つの楽曲に含まれる所定の音節に基づいて推奨楽曲を検索する例について述べたがこれに限られない。複数の楽曲を歌唱して得られる歌唱履歴に基づいて推奨楽曲を検索することも可能である。たとえば、利用者Ｘが楽曲Ａ（「パ」６個、「タ」１５個、「カ」８個、「ラ」１０個）、楽曲Ｂ（「パ」３個、「タ」６個、「カ」１０個、「ラ」３個）、楽曲Ｃ（「パ」１０個、「タ」２個、「カ」５個、「ラ」１個）を歌唱したとする。カラオケ装置１は、利用者Ｘの利用者ＩＤに基づいて、利用者が選択した楽曲Ａ〜楽曲Ｃに含まれる所定の音節の履歴を積算し、記憶部１３に記憶する（この例では、「パ」１９個、「タ」２３個、「カ」２３個、「ラ」１４個）。この場合、特定部４００は、利用者Ｘが選択した楽曲Ａ〜楽曲Ｃに含まれる所定の音節「パ」、「タ」、「カ」、「ラ」のうち、数が少ない音節「ラ」を特定することができる。従って、たとえば、利用者Ｘがカラオケ装置１にログインし、口腔機能訓練モードを選択した際に、カラオケ装置１は、過去の履歴に基づいて推奨楽曲（「ラ」が多く含まれる楽曲）を提示することができる。
【００５５】
このように、本実施形態に係るカラオケ装置１によれば、口腔機能訓練に適した推奨楽曲を提示することができる。従って、利用者は効果的な訓練を行うことが可能となる。すなわち、このようなカラオケ装置１によれば、通常と同様のカラオケ歌唱を行いながら、口腔機能訓練を補助することができる。
【００５６】
なお、特定部４００は、所定の音節毎の数及び／または割合の差が所定値以上である場合に、数が少ない音節及び／または割合が低い音節を特定することでもよい。たとえば、特定部４００は、「パ」、「タ」、「カ」、「ラ」それぞれの数の最大値と最小値の差が５個以上ある場合に数が少ない音節を特定するとしてもよい。所定値は、所定の音節毎の数等の差が大き過ぎるかどうかを判断するための値であり、任意の値を予め設定しておくことができる。たとえば「パ」６個に対して「タ」１５個のように音節毎の数の差が大き過ぎる場合、口腔機能訓練としては偏りが生じるため好ましくない。よって、そのような場合には、特定部４００が数の少ない音節を特定し、その結果に基づいて推奨楽曲を提示することも可能である。この場合、推奨楽曲を歌唱することにより、利用者は、発声の機会が少ない音節を優先的に訓練することができる。従って、より効率的な口腔機能訓練が可能となる。
【００５７】
或いは、特定部４００は、所定の音節毎の数及び／または割合の差が所定値以上である場合に、数が少ない音節及び／または割合が低い音節と、数が多い音節及び／または割合が高い音節とを特定することでもよい。この結果に基づいて提示される推奨楽曲を歌唱することにより、利用者は発声の機会が少ない音節と多い音節をバランスよく訓練することが可能となる。
【００５８】
上記実施形態等は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００５９】
１  カラオケ装置
１０  カラオケ本体
１００  算出部
２００  表示制御部
【図１】
0006693803.tif 000002
【図２】
0006693803.tif 000003
【図３】
0006693803.tif 000004
【図４】
0006693803.tif 000005
【図５】
0006693803.tif 000006
【図６】
0006693803.tif 000007
【図７】
0006693803.tif 000008